(57)【要約】      （修正有）【課題】コンテンツ提供側が不正利用発生の旨及び流出先を知ることができるようにした、セキュリティの高いコンテンツ送受信システムを提供する。【解決手段】コンテンツ送受信システム１０は、ユーザ端末１１０、コンテンツ提供部２００及びネットワーク３００を備える。ユーザ端末は、再生手段を使用して、ネットワークを介してコンテンツ提供部にアクセスし、コンテンツを受信して再生する。再生手段は、ユーザ端末の端末識別情報に対応して一意に発行される再生手段識別情報を有する。再生手段によるコンテンツの再生前に、コンテンツに埋め込まれ関連付けられた端末識別情報と、再生手段識別情報に対応する端末識別情報を比較してユーザ端末を認証する。ユーザ端末が正常に認証された場合、再生手段はコンテンツの再生を開始すると共に、コンテンツに埋め込まれた送信機能は、再生手段識別情報をネットワークを介してコンテンツ提供部に送信する。【選択図】図１
2017211730.tif 000002
【特許請求の範囲】
【請求項１】
ユーザ端末と、前記ユーザ端末からネットワークを介して送信されるコンテンツ要求情報に基づいて指定されたコンテンツを前記ユーザ端末にネットワークを介して送信するコンテンツ提供部と、を備えるコンテンツ送受信システムであって、
前記ユーザ端末が、再生手段を使用して、ネットワークを介して前記コンテンツ提供部にアクセスし、前記コンテンツ要求情報を送信し、あるいは受信した当該コンテンツを再生し、
前記再生手段は、前記ユーザ端末の端末識別情報に対応して一意に発行される再生手段識別情報を有し、
前記再生手段が受信した当該コンテンツの再生等の動作を行なう際に、当該コンテンツに埋め込まれた送信機能が、当該コンテンツを構成するファイルの実行またはコンテンツの再生により、前記再生手段識別情報をネットワークを介して前記コンテンツ提供部に送信する、
ことを特徴とする、コンテンツ送受信システム。
【請求項２】
前記再生手段が、当該コンテンツ再生の前に、前記ユーザ端末が当該コンテンツをダウンロードしたユーザ端末であるか否かにより前記ユーザ端末の認証を行ない、正常に認証された場合には正規利用であると判定し、認証不可の場合には不正利用であると判定し、
正規利用であると判定した場合には、前記再生手段は当該コンテンツの再生を実行し、
不正利用であると判定した場合には、前記再生手段は当該コンテンツの再生を実行しないことを特徴とする、請求項１に記載のコンテンツ送受信システム。
【請求項３】
前記再生手段が、暗号鍵により暗号化された当該コンテンツを、当該コンテンツのダウンロード時に同時に受信した復号鍵を使用して復号することにより、前記ユーザ端末の認証を行なうことを特徴とする、請求項２に記載のコンテンツ送受信システム。
【請求項４】
前記再生手段が、前記ユーザ端末の認証のために、前記コンテンツに対して正式なユーザとして関連付けられた端末識別情報と、前記再生手段識別情報に対応される端末識別情報とを比較して、一致している場合には正規利用であると判定し、不一致の場合には不正利用であると判定することを特徴とする、請求項２に記載のコンテンツ送受信システム。
【請求項５】
前記再生手段が、不正利用であると判定した場合には、アラート情報を生成して、このアラート情報及び再生しようとするコンテンツに関するコンテンツ識別情報を、前記再生手段識別情報と共に前記コンテンツ提供部に送信することを特徴とする、請求項２から４の何れかに記載のコンテンツ送受信システム。
【請求項６】
前記コンテンツ提供部が、前記ユーザ端末の再生手段から送信される前記再生手段識別情報，端末識別情報及びコンテンツ識別情報を、前もって登録してあるユーザ登録情報と関連付けて登録することを特徴とする、請求項１から５の何れかに記載のコンテンツ送受信システム。
【請求項７】
前記コンテンツ提供部が、前記ユーザ端末の再生手段からアラート情報を受け取ったとき、このアラート情報を前記ユーザ登録情報と関連付けて登録することを特徴とする、請求項６に記載のコンテンツ送受信システム。
【請求項８】
前記コンテンツ提供部が、前記アラート情報を受け取ったとき、前記アラート情報と共に送信されるコンテンツ識別情報に基づいて、当該コンテンツの権利者に対して、不正利用発生の旨の通知を送信することを特徴とする、請求項６または７に記載のコンテンツ送受信システム。
【発明の詳細な説明】
【技術分野】
【０００１】
本発明は、コンテンツ配信システム及びコンテンツ配信プログラムに関するものである。
【背景技術】
【０００２】
従来、各種コンテンツを配信するに際して、コンテンツの保護のために暗号化したコンテンツを提供するシステムがある（例えば、特許文献１参照）。
このような従来のシステムにおいては、暗号化したコンテンツを復号するための鍵を、コンテンツとは別に提供している。
【０００３】
例えば、あるシステムにおいては、コンテンツを配信するサーバが以下のように動作する。
（１）コンテンツを暗号化する。
（２）暗号解除キーを準備する。
（３）ユーザ端末からのコンテンツ要求を受信すると、暗号化したコンテンツを当該ユーザ端末に送信する。
（４）暗号解除キーを当該ユーザ端末に送信する。
【０００４】
これに対して、ユーザ端末（クライアント）は、以下のように動作する。
（１）暗号化されたコンテンツを受信する。
（２）暗号解除キーを受信する。
（３）プレーヤにより、暗号化されたコンテンツの暗号を暗号解除キーで解除する。
（４）プレーヤにより、コンテンツを再生する。
【０００５】
ここで、ユーザは、コンテンツ配信事業者と契約して、ログインＩＤ（識別子）及びパスワードを取得しておく。
そして、ユーザは、ユーザ端末から配信事業者のサーバにログインＩＤ及びパスワードを送信する。これにより、ユーザは、配信事業者のサーバ内のコンテンツを検索し、ダウンロードし、再生により視聴等を行なうことができる。
このとき、コンテンツは暗号化されているため、ユーザは、サーバから別途送信される暗号解除キーによりコンテンツの暗号を解除する機能を備えたプレーヤを使用する必要がある。このようなプレーヤを使用することによって、ユーザは、暗号化されたコンテンツを、暗号解除キーを意識することなく再生することができる。
【先行技術文献】
【特許文献】
【０００６】
【特許文献１】特開２００３−１９８８３１号公報
【発明の概要】
【発明が解決しようとする課題】
【０００７】
ところで、このような方式のシステムにおいては、暗号解除キーは、コンテンツ毎に共通のものが使用されている。従って、ユーザまたは第三者が、この暗号解除キーを使用して、他のユーザ端末で当該コンテンツのダンロードまたは再生を行なおうとすると、当該コンテンツをダウンロードし、あるいは再生することができるようになってしまう。
また、このような方式のシステムにおいては、ダウンロードしたコンテンツファイルが不正に流出した場合、コンテンツ提供者は、誰がどこ（当該コンテンツをダウンロードしたユーザ端末）からコンテンツを入手して再生しているか、即ち流出先を知ることができない。
【０００８】
本発明は、以上の点に鑑み、簡単な構成により、コンテンツ提供側が不正利用発生の旨及び流出先を知ることができるようにした、セキュリティの高いコンテンツ送受信システムを提供することを目的としている。
【課題を解決するための手段】
【０００９】
上記目的は、本発明の構成によれば、ユーザ端末と、ユーザ端末からネットワークを介して送信されるコンテンツ要求情報に基づいて指定されたコンテンツをユーザ端末にネットワークを介して送信するコンテンツ提供部と、を備えるコンテンツ送受信システムであって、ユーザ端末が、再生手段を使用して、ネットワークを介してコンテンツ提供部にアクセスし、コンテンツ要求情報を送信し、あるいは受信した当該コンテンツを再生し、再生手段は、ユーザ端末の端末識別情報に対応して一意に発行される再生手段識別情報を有し、再生手段が受信した当該コンテンツの再生等の動作を行なう際に、当該コンテンツに埋め込まれた送信機能が、当該コンテンツを構成するファイルの実行またはコンテンツの再生により、再生手段識別情報をネットワークを介してコンテンツ提供部に送信することを特徴とする、コンテンツ送受信システムにより、達成される。
【００１０】
上記構成によれば、ユーザ端末が再生手段を使用してコンテンツの再生等の動作を行なう場合には、その動作開始前に、当該コンテンツに埋め込まれた送信機能によって、再生手段識別情報がネットワークを介してコンテンツ提供部に送信される。
これにより、コンテンツ提供部では、ユーザがユーザ端末の再生手段によりコンテンツの再生等の動作を行なおうとするときに、どのユーザがどのユーザ端末でどのコンテンツの再生等を行なおうとしているかを正確に知ることができる。
【００１１】
本発明によるコンテンツ送受信システムは、好ましくは、再生手段が、当該コンテンツ再生の前に、ユーザ端末が当該コンテンツをダウンロードしたユーザ端末であるか否かによりユーザ端末の認証を行ない、正常に認証された場合には正規利用であると判定し、認証不可の場合には不正利用であると判定し、正規利用であると判定した場合には、再生手段は当該コンテンツの再生を実行し、不正利用であると判定した場合には、再生手段は当該コンテンツの再生を実行しない。
この構成によれば、コンテンツを再生しようとするユーザ端末が当該コンテンツをダウンロードしたユーザ端末であることを確認した後、当該コンテンツの再生が行なわれる。従って、例えばユーザが異なるユーザ端末により当該コンテンツを再生しようとすると、ユーザ端末の正常な認証が行なわれず、当該コンテンツの再生が行なわれず、コンテンツの不正利用が確実に排除される。
【００１２】
本発明によるコンテンツ送受信システムは、好ましくは、再生手段が、暗号鍵により暗号化された当該コンテンツを、当該コンテンツのダウンロード時に同時に受信した復号鍵を使用して復号することにより、ユーザ端末の認証を行なう。
この構成によれば、コンテンツを再生しようとするユーザ端末が当該コンテンツをダウンロードしたユーザ端末である場合には、当該コンテンツは前もって受信した復号鍵により復号されるので、間接的にユーザ端末の正常な認証が行なわれることになり、当該コンテンツの再生が行なわれる。
これに対して、コンテンツを再生しようとするユーザ端末が当該コンテンツをダウンロードしたユーザ端末とは異なるユーザ端末である場合には、暗号鍵により暗号化された当該コンテンツを復号するための復号鍵がないため、当該コンテンツが復号されず、当該コンテンツの再生は行なわれない。これにより、コンテンツをダウンロードしたユーザ端末と異なるユーザ端末では、当該コンテンツが復号されないため、不正利用が確実に排除されることになる。
【００１３】
本発明によるコンテンツ送受信システムは、好ましくは、再生手段が、ユーザ端末の認証のために、コンテンツに対して正式なユーザとして関連付けられた端末識別情報と、再生手段識別情報に対応される端末識別情報とを比較して、一致している場合には正規利用であると判定し、不一致の場合には不正利用であると判定する。
この構成によれば、コンテンツを再生しようとするユーザ端末が当該コンテンツをダウンロードしたユーザ端末である場合には、コンテンツに対して正式なユーザとして関連付けられた端末識別情報が、再生手段の再生手段識別情報に対応される端末識別情報と一致しているので、正規利用として当該コンテンツの再生が行なわれる。
これに対して、コンテンツを再生しようとするユーザ端末が当該コンテンツをダウンロードしたユーザ端末とは異なるユーザ端末である場合には、コンテンツに対して正式なユーザとして関連付けられた端末識別情報が、再生手段の再生手段識別情報に対応される端末識別情報と異なるので、当該コンテンツの再生が行なわれず、不正利用が確実に排除される。
【００１４】
本発明によるコンテンツ送受信システムは、好ましくは、再生手段が、不正利用であると判定した場合には、アラート情報を生成して、このアラート情報及び再生しようとするコンテンツに関するコンテンツ識別情報を、再生手段識別情報と共にコンテンツ提供部に送信する。
この構成によれば、コンテンツ提供部は、ユーザ端末によるコンテンツの不正利用が発生したとき、このユーザ端末の再生手段が、再生手段識別情報，アラート情報及びコンテンツ識別情報をコンテンツ提供部に送信することにより、コンテンツ提供部は、アラート情報により不正利用発生の旨を知ることができると共に、この再生手段識別情報及びコンテンツ識別情報に基づいて、どのユーザがどのコンテンツをどの再生手段そしてユーザ端末により不正利用しようとしたかを知ることができる。
【００１５】
本発明によるコンテンツ送受信システムは、好ましくは、コンテンツ提供部が、ユーザ端末の再生手段から送信される再生手段識別情報，端末識別情報及びコンテンツ識別情報を、前もって登録してあるユーザ登録情報と関連付けて登録する。
この構成によれば、ユーザ端末の再生手段によるコンテンツの再生等の動作の度に、そのユーザ識別情報及びユーザ端末情報を前もって登録してあるユーザ登録情報と関連付けて登録することによって、当該ユーザのコンテンツ再生に関する履歴を保存することができる。
【００１６】
本発明によるコンテンツ送受信システムは、好ましくは、コンテンツ提供部が、ユーザ端末の再生手段からアラート情報を受け取ったとき、このアラート情報をユーザ登録情報と関連付けて登録する。
この構成によれば、ユーザ端末の再生手段によるコンテンツの不正利用発生時に、アラート情報を前もって登録してあるユーザ登録情報と関連付けて登録することによって、当該ユーザのコンテンツ再生における不正利用の履歴を保存することができる。
【００１７】
本発明によるコンテンツ送受信システムは、好ましくは、コンテンツ提供部が、アラート情報を受け取ったとき、アラート情報と共に送信されるコンテンツ識別情報に基づいて、当該コンテンツの権利者に対して、不正利用発生の旨の通知を送信する。
この構成によれば、不正利用発生時には、当該コンテンツの権利者は、不正利用発生の旨の通知を受信することによって、不正利用発生を把握することができる。
【発明の効果】
【００１８】
このようにして、本発明によれば、簡単な構成により、簡単な構成により、不正に入手したコンテンツを再生しようとしたとき、当該コンテンツの再生をできないようにすると共に、コンテンツ提供側が不正利用発生の旨及び流出先を知ることができるようにした、セキュリティの高いコンテンツ送受信システムを提供することができる。
【図面の簡単な説明】
【００１９】
【図１】本発明によるコンテンツ送受信システムの一実施形態の構成を示すブロック図である。
【図２】図１のコンテンツ送受信システムにおけるユーザ端末の構成を示すブロック図である。
【図３】図１のコンテンツ送受信システムにおけるコンテンツ提供部の構成を示すブロック図である。
【図４】図１のコンテンツ送受信システムにおけるコンテンツ配信作業を示すフローチャートである。
【図５】図１のコンテンツ送受信システムにおけるコンテンツ再生作業を示すフローチャートである。
【発明を実施するための形態】
【００２０】
以下、図面に示した実施形態に基づいて本発明を詳細に説明する。
図１は、本発明によるコンテンツ送受信システムの一実施形態の構成を示している。
図１に示すように、コンテンツ送受信システム１０は、ユーザ１００と、コンテンツ提供部２００と、ネットワーク３００と、から構成されている。
尚、図１においては、ユーザ１００は、一つだけ図示されているが、一つに限定されるものではない。
【００２１】
ネットワーク３００は、コンテンツ提供部２００と各ユーザ１００のユーザ端末１１０との間を相互に接続するＬＡＮ及びＷＡＮを含むイントラネットまたはインターネット，アナログ及びデジタルの携帯電話を含む一般公衆回線網あるいは専用回線網，無線ＬＡＮ等のネットワークまたはこれらの組合せ、具体的には例えばＴＣＰ／ＩＰ等の所定のプロトコル環境下のインターネット接続サービスを提供するネットワークであって、インターネット接続サービスを提供するものである。
【００２２】
ユーザ１００は、ユーザ端末１１０により、ネットワーク３００を介してコンテンツ提供部２００にアクセスし、コンテンツ提供部２００のサーバ等にログインして、コンテンツ提供部２００が提供するコンテンツ検索またはダウンロード用の画面情報（後述）を受信し、表示部１４０上にコンテンツ検索またはダウンロード用の画面を表示することができる。
ユーザ１００は、コンテンツ提供部２００にアクセスするための端末装置として、パーソナルコンピュータや、携帯電話，ＰＨＳ，タブレット端末，スマートフォンを含む各種情報端末機器等のユーザ端末１１０を使用することができる。
【００２３】
ユーザ端末１１０は、図２に示すように、制御部１２０，記憶部１３０，入力部１４０及び表示部１５０から構成されており、固有の端末識別情報１１１を備えている。
ここで、制御部１２０，記憶部１３０，入力部１４０及び表示部１５０は、公知の構成であり、入力部１４０は、例えばキーボード，マウス等が使用されると共に、例えば表示部１５０と一体化したタッチパネルとして構成されていてもよい。
さらに、ユーザ端末１１０は、コンテンツ提供部２００からダウンロードしたコンテンツを再生するための再生手段１６０を備えている。
【００２４】
再生手段１６０は、制御部１２０で動作するソフトウェアであって、例えばユーザ端末１１０がネットワーク３００を介してコンテンツ提供部２００からダウンロードしてインストールすることにより、制御部１２０内で機能するようになっている。
尚、再生手段１６０は、ハードウェアとして構成されていてもよい。
【００２５】
ここで、再生手段１６０は、入力部１４０での入力操作によって、前もってダウンロードして記憶部１３０に登録されているコンテンツ２０１を再生して画像情報や動画情報を表示部に表示し且つ音声情報を図示しないスピーカまたは音声出力端子に出力し、あるいは当該コンテンツ２０１の再生を停止し、または当該コンテンツ２０１を削除することができる。
さらに、再生手段１６０は、同様に入力部１４０での入力操作によって、ネットワーク３００を介してコンテンツ提供部２００にアクセスし、コンテンツ提供部２００に登録されている各種コンテンツを検索して、指定したコンテンツ２０１をネットワーク３００を介してダウンロードする機能も備えている。
【００２６】
再生手段１６０は、ネットワーク３００を介してコンテンツ提供部２００にアクセスする際に、ユーザ識別情報１７０を送信して、コンテンツ提供部２００にログインする。
ここで、ユーザ識別情報１７０は、コンテンツ提供部２００を利用するために前もって設定されたユーザＩＤ１７１及びパスワード１７２と、を含んでいる。
【００２７】
また、再生手段１６０は、ユーザ端末１１０の端末識別情報１１１に対応して一意に発行される再生手段識別情報１６１を有している。
再生手段識別情報１６１は、ユーザ１００がコンテンツ提供部２００に対してユーザ登録した後、再生手段１６０のダウンロードを行なう際に、ユーザ端末１１０の端末識別情報１１１に対応して一意に発行されると共に、ユーザ端末１１０へのインストール時に、再生手段１６０に埋め込まれている。
【００２８】
さらに、再生手段１６０は、再生手段１６０が実行しようとする各種動作に関する動作情報１６２を生成する。
ここで、動作情報１６２は、コンテンツの再生に関する動作として再生，停止及び削除の動作情報、またはコンテンツ提供部２００におけるコンテンツの検索及びダウンロードの動作情報を含んでいる。
【００２９】
再生手段１６０は、コンテンツの検索及びダウンロードのためにコンテンツ提供部２００にアクセスしているときに、コンテンツ提供部２００からネットワーク３００を介して送信されて表示部１４０に表示される画面表示に基づいて、所望のコンテンツを指定すると、当該コンテンツに関するコンテンツ要求情報１６３をネットワーク３００を介してコンテンツ提供部２００に送信する。
そして、再生手段１６０は、コンテンツ要求情報１６３に対応したコンテンツ２０１をコンテンツ提供部２００からネットワーク３００を介してダウンロードして、記憶部１３０に登録する。
【００３０】
このとき、送信されるコンテンツ２０１は、後述するように暗号鍵により暗号化され、この暗号鍵に対応する復号鍵と共に、ネットワークを介してユーザ端末１１０に送信される。
あるいは、ユーザ端末１１０の認証のために端末識別情報１１１を利用する場合には、送信されるコンテンツ２０１は、後述するように、ダウンロードするユーザ端末１１０の端末識別情報１１１が埋め込まれている。
【００３１】
再生手段１６０は、記憶部１３０に登録されたコンテンツ２０１を再生する際に、即ち当該コンテンツ２０１のファイルを実行し、あるいは当該コンテンツ２０１のファイル実行後に画面表示される再生ボタンを操作する際に、当該コンテンツ２０１の再生開始に先立って、ユーザ端末１１０が当該コンテンツ２０１をダウンロードしたユーザ端末であるか否かについて、ユーザ端末１１０の認証を行なう。
ここで、ユーザ端末１１０の認証は、当該コンテンツ２０１の暗号化または端末識別情報１１１を利用して行なわれる。
【００３２】
当該コンテンツ２０１の暗号化の場合には、コンテンツ提供部２００において、ダウンロード時に当該コンテンツ２０１が暗号鍵により暗号化され、暗号化された当該コンテンツ２０１と共に、復号鍵がユーザ端末に送信され、ユーザ端末１１０の記憶部１３０に登録される。
これにより、当該コンテンツ２０１の再生時には、再生手段１６０は、ユーザ端末１１０の記憶部１３０に登録されている復号鍵を読み込んで、この復号鍵により当該コンテンツ２０１の暗号解除を行なう。この暗号鍵及び復号鍵による暗号解除の成否によって、ユーザ端末１１０の認証が行なわれ得ることになる。
【００３３】
即ち、暗号解除が成功した場合には、再生手段１６０は、ユーザ端末１１０の正常に認証したものとして、正規利用と判定し、コンテンツ２０１の再生を開始する。
これに対して、当該コンテンツ２０１をダウンロードしたユーザ端末以外のユーザ端末１１０で当該コンテンツ２０１を再生しようとした場合には、再生手段１６０は、復号鍵がないことから、当該コンテンツ２０１の復号、即ち暗号解除を行なうことができないので、当該コンテンツ２０１を再生することができず、不正利用と判定し、コンテンツ２０１の再生を開始しない。
【００３４】
また、ユーザ端末１１０の認証のために端末識別情報１１１を利用する場合には、コンテンツ提供部２００において、ダウンロード時に当該コンテンツ２０１に対して正式なユーザとして当該ユーザ端末１１０の端末識別情報１１１が関連付けられ、当該コンテンツ２０１に埋め込まれる。
これにより、再生手段１６０が当該コンテンツ２０１を再生しようとすると、当該コンテンツ２０１の再生前に、再生手段１６０は、当該コンテンツ２０１に埋め込まれ関連付けられた端末識別情報１１１と、再生手段１６０の再生手段識別情報１６１に対応される端末識別情報１１１とを比較して、ユーザ端末１１０の認証を行なう。
【００３５】
そして、ユーザ端末１１０の正常な認証が行なわれた場合には、再生手段１６０は、正規利用であると判定して、再生しようとしている当該コンテンツ２０１の再生を開始すると共に、当該コンテンツ２０１に埋め込まれた送信機能が、端末識別情報１１１，再生手段識別情報１６１及び再生動作を示す動作情報１６２と、さらに当該コンテンツに関するコンテンツ識別情報１６４を、ネットワーク３００を介してコンテンツ提供部２００に送信する。
【００３６】
これに対して、ユーザ端末１１０の認証不可の場合には、再生手段１６０は、不正利用であると判定して、再生しようとしている当該コンテンツ２０１の再生を開始せず、不正利用発生の旨のアラート情報１６５を生成して、このアラート情報１６５と、端末識別情報１１１，再生手段識別情報１６１及びコンテンツ識別情報１６４を、ネットワーク３００を介してコンテンツ提供部２０に送信する。
【００３７】
さらに、再生手段１６０は、再生中のコンテンツ２０１の再生を停止または中止したとき、あるいは当該コンテンツ２０１を記憶部１３０から削除したとき、当該コンテンツ２０１の再生の停止，中止または削除を示す動作情報１６２を、端末識別情報１１１，再生手段識別情報１６１及びコンテンツ識別情報１６４と共に、ネットワーク３００を介してコンテンツ提供部２００に送信する。
さらに、再生手段１６０は、アラート情報１６５を生成したとき、その後の当該再生手段１６０自体の動作を停止または制限するようにしてもよい。
【００３８】
コンテンツ提供部２００は、適宜の箇所に設けられた情報処理装置、即ちワークステーション，サーバ等のコンピュータから構成されており、図３に示すように、送受信部２１０と、記憶部２２０と、処理部２３０と、を有している。
尚、コンテンツ提供部２００での処理は、プログラムに制御されたサーバ，ワークステーション等のコンピュータにより実行され、記録媒体としては、例えば磁気ディスク，半導体メモリ，その他の任意のコンピュータで読み取り可能なものが使用される。また、記録媒体に記録されたプログラムは、記録媒体を直接コンピュータに装着して当該コンピュータに読み込ませてもよく、また各種ネットワークを介してコンピュータに読み込ませるようにしてもよい。
【００３９】
送受信部２１０は、ネットワーク３００を介してアクセスしてきたユーザ１００のユーザ端末１１０から送られてくるユーザ識別情報１７０，再生手段識別情報１６１，動作情報１６２，コンテンツ要求情報１６３及びコンテンツ識別情報１６４そしてアラート情報１６５を受信して、処理部２３０に送出する。
【００４０】
記憶部２２０には、提供すべきコンテンツ２０１がコンテンツ要求情報１６３，コンテンツ識別情報１６４により検索可能な状態で且つ権利者情報２０２を関連付けた状態でデータベース化して登録されていると共に、各ユーザ１００に関するユーザＩＤ１７１及びパスワード１７２そしてその他必要な事項がユーザ登録情報２２１としてデータベース化して登録されている。
【００４１】
処理部２３０は、コンテンツ提供部２００の送受信部２１０からユーザ識別情報１７０と再生手段識別情報１６１及び動作情報１６２を受け取ったとき、このユーザ識別情報１７０，再生手段識別情報１６１及び動作情報１６２を、記憶部２２０に前もって登録されているユーザ登録情報２２１と関連付けて登録する。
これにより、記憶部２２０には、ユーザ１００のログイン履歴そしてコンテンツの利用履歴がユーザ登録情報２２１と関連付けて登録されることになる。
【００４２】
そして、処理部２３０は、このユーザ識別情報１７０に基づいて当該ユーザ１００またはユーザ端末１１０の認証を行なう、即ちユーザ識別情報１７０に関して、記憶部２２０に登録されているユーザ登録情報２２１と比較して、ユーザＩＤ１７１及びパスワード１７２が一致している場合には、当該ユーザ端末１１０のログインを許可する。
【００４３】
そして、処理部２３０は、動作情報１６２がコンテンツの検索またはダウンロードに関する動作情報である場合には、当該ユーザ端末１１０の再生手段１６０によるコンテンツ要求情報１６３に対応するコンテンツのダウンロードを許可して、コンテンツの検索及びダウンロード用の画面情報２３１をネットワーク３００を介してユーザ端末１１０に送信する。
【００４４】
これに対して、ユーザＩＤ１７１及びパスワード１７２が一致しない場合には、処理部２３０は、ユーザ１００が登録ユーザではないと判定して、ログインを許可しない。
【００４５】
また、処理部２３０は、ネットワーク３００を介してユーザ端末１１０の再生手段１６０からコンテンツ要求情報１６３を受信したとき、当該コンテンツ要求情報１６３に基づいて、記憶部２２０からコンテンツ２０１を読み出して、当該コンテンツ２０１を暗号化し、または当該コンテンツ２０１に当該ユーザ端末１１０の端末識別情報１１１を関連付けて埋め込んだ後、ネットワーク３００を介してユーザ端末１１０に送信する。
【００４６】
さらに、処理部２３０は、ユーザ端末１１０からアラート情報１６５を受信したとき、同時に送信されてくる端末識別情報１１１及び再生手段識別情報１６１に基づいて、記憶部２２０に登録されている当該ユーザ１００のユーザ登録情報２２１に関連付けて登録すると共に、当該コンテンツを示すコンテンツ識別情報１６４に基づいて、記憶部２２０に登録されているコンテンツに対応する当該コンテンツ２０１の権利者情報２０２を読み出して、その連絡先として登録されているメールアドレスに対して、不正利用発生の旨の通知メール２３２を、ネットワーク３００を介して送信する。
【００４７】
本発明実施形態によるコンテンツ送受信システム１０は、以上のように構成されており、その動作について図４〜図５を参照して以下に説明する。
【００４８】
図４のフローチャートにより、本発明実施形態によるコンテンツ送受信システム１０のコンテンツ配信作業を説明する。
図４において、ユーザ１００は、自分のユーザ端末１１０の入力部１４０での入力操作によって、再生手段１６０を起動して、符号Ａ１で示すように、ネットワーク３００を介してコンテンツ提供部２００にユーザ識別情報１７０，端末識別情報１６１及び動作情報１６２を送信することにより、コンテンツ提供部２００にアクセスする。
このとき、動作情報１６２は、コンテンツの検索及びダウンロードに設定されている。
【００４９】
これを受けて、コンテンツ提供部２００の送受信部２１０は、ユーザ１００のユーザ端末１１０から送られてくるユーザ識別情報１７０，端末識別情報１６１及び動作情報１６２を、符号Ａ２で示すように、処理部２３０に送出する。
コンテンツ提供部２００の処理部２３０は、符号Ａ３で示すように、ユーザ識別情報１７０，端末識別情報１６１及び動作情報１６２を、記憶部２２０に登録されている当該ユーザ１００のユーザ登録情報２２１と関連付けて記憶部２２０に登録すると共に、符号Ａ４で示すように、ユーザ識別情報１７０に基づいて、当該ユーザ１００の認証を行なう。具体的には、処理部２３０は、ユーザ識別情報１７０に関して、記憶部２２０に登録されているユーザ登録情報２２１と比較する。
【００５０】
ここで、ユーザ識別情報１７０即ちユーザＩＤ１７１及びパスワード１７２がユーザ登録情報２２１に登録されているものと一致している場合には、処理部２３０は、符号Ａ５で示すように、当該ユーザ端末１１０のログインを許可し、コンテンツの検索及びダウンロードに設定された動作情報１６２に基づいて、コンテンツ検索またはダウンロード用のＷｅｂ画面情報２３２をネットワーク３００を介してユーザ端末１１０に送信する。
尚、一致しない場合には、処理部２３０は、当該ユーザ端末１１０のログインを許可せず、処理を終了する。
【００５１】
これにより、ユーザ端末１１０では、再生手段１６０が、符号Ａ６で示すように、Ｗｅｂ画面情報２３２に基づいて、表示部１５０の画面上に、コンテンツ検索及びダウンロード用のＷｅｂ画面を表示する。
そして、ユーザ１００は、符号Ａ７で示すように、表示部１５０に表示されるＷｅｂ画面に従って、入力部１４０での入力操作によって、コンテンツ２０１の検索を行なった後、あるいは直接にダウンロードしたいコンテンツ２０１を指定して、符号Ａ８で示すように、コンテンツ要求情報１６３をネットワーク３００を介してコンテンツ提供部２００に送信する。
【００５２】
これを受けて、コンテンツ提供部２００の送受信部２１０は、符号Ａ９で示すように、コンテンツ要求情報１６３を処理部２３０に送出する。
これにより、処理部２３０は、このコンテンツ要求情報１６３に基づいて、符号Ａ１０で示すように、記憶部２２０からコンテンツ要求情報１６３に対応するコンテンツ２０１を読み出して、符号Ａ１１で示すように、当該コンテンツ２０１を暗号化し、または当該ユーザ端末１１０の端末識別情報１１１を当該コンテンツ２０１に関連付けて埋め込んだ後、符号Ａ１２で示すように、送受信部２１０そしてネットワーク３００を介して、当該コンテンツ２０１をユーザ端末１１０に送信する。
このとき、処理部２３０は、当該コンテンツ２０１を暗号化したときは、暗号解除のための復号鍵を当該コンテンツ２０１と共にネットワーク３００を介してユーザ端末１１０に送信する。
また、処理部２３０は、符号Ａ１３で示すように、当該コンテンツ２０１を示すコンテンツ識別情報１６４を、記憶部２２０に前もって登録してある当該ユーザ１００のユーザ登録情報２２１と関連付けて登録する。
【００５３】
これにより、ユーザ端末１１０の再生手段１６０は、コンテンツ提供部２００から送られてくるコンテンツ２０１を受信して、符号Ａ１１で示すように、記憶部１３０に登録する。
以上で、コンテンツの配信（ダウンロード）の作業が完了する。
【００５４】
次に、図５のフローチャートにより、本発明実施形態のコンテンツ送受信システム１０のコンテンツ再生作業を説明する。
図５において、ユーザ１００は、符号Ｂ１で示すように、自分のユーザ端末１１０の 入力部１４０からの入力操作によって、符号Ｂ２で示すように、再生手段１６０を起動して、記憶部１３０に登録してあるコンテンツ２０１のうち、再生したいコンテンツ２０１を選択して、符号Ｂ３で示すように、再生操作を行なう。
これにより、再生手段１６０は、当該コンテンツ２０１の再生の前に、符号Ｂ４で示すように、ユーザ端末１１０の認証を行なう。
このユーザ端末１１０の認証は、前述したように、当該コンテンツ２０１の暗号化または当該コンテンツ２０１に埋め込まれた端末識別情報１１１を利用して行なわれる。
【００５５】
ここで、当該コンテンツ２０１の暗号化の場合には、再生手段１６０は、当該コンテンツの再生、即ち当該コンテンツ２０１を構成するファイルの実行またはコンテンツの再生により、まず前もって受信して記憶部１３０に登録してある復号鍵を読み出して、この復号鍵を使用して当該コンテンツ２０１を復号化し、暗号解除する。
これにより、再生手段１６０は、この暗号解除の成否により、間接的にユーザ端末１１０の認証を行なう。
【００５６】
即ち、暗号解除に成功した場合には、再生手段１６０は、正規利用である判定して、符号Ｂ５で示すように、当該コンテンツ２０１の再生を開始すると共に、符号Ｂ６で示すように、当該コンテンツ２０１に埋め込まれた送信機能が、当該コンテンツ２０１の再生により、端末識別情報１１１，再生手段識別情報１６１及びコンテンツ再生を示す動作情報１６２を当該コンテンツ２０１を示すコンテンツ識別情報１６４と共に、ネットワーク３００を介してコンテンツ提供部２００に送信する。
【００５７】
これに対して、暗号解除に失敗した場合には、再生手段１６０は、不正利用であると判定して、符号Ｂ７で示すように、当該コンテンツ２０１の再生を開始せずに、符号Ｂ８で示すように、アラート情報１６５を生成して、符号Ｂ９で示すように、このアラート情報１６５を、再生しようとする当該コンテンツ２０１に関するコンテンツ識別情報１６４及び端末識別情報１１１，再生手段識別情報１６１と共に、ネットワーク３００を介してコンテンツ提供部２００に送信して、コンテンツ再生処理を終了する。
【００５８】
また、端末識別情報１１１を利用する場合には、再生手段１６０は、再生しようとするコンテンツ２０１に関連付けて埋め込まれた端末識別情報１１１と、再生手段１６０の再生手段識別情報１６１に対応される端末識別情報１１１とを比較して、ユーザ端末１１０の認証を行なう。
【００５９】
ここで、これら二つの端末識別情報が一致したときには、再生手段１６０は、ユーザ端末１１０が当該コンテンツ２０１をダウンロードしたユーザ端末１１０である、即ち正規利用であると判定して、同様に符号Ｂ５で示すように、当該コンテンツ２０１の再生を開始すると共に、符号Ｂ６で示すように、当該コンテンツ２０１に埋め込まれた送信機能が、当該コンテンツ２０１の再生により、端末識別情報１１１，再生手段識別情報１６１及び再生動作を示す動作情報１６２と、さらに当該コンテンツに関するコンテンツ識別情報１６４を、ネットワーク３００を介してコンテンツ提供部２００に送信する。
【００６０】
これに対して、これら二つの端末識別情報が一致しない場合には、再生手段１６０は、不正利用であると判定して、符号Ｂ７で示すように、当該コンテンツ２０１の再生を開始せずに、符号Ｂ８で示すように、アラート情報１６５を生成して、符号Ｂ９で示すように、このアラート情報１６５を、再生しようとする当該コンテンツ２０１に関するコンテンツ識別情報１６４及び端末識別情報１１１，再生手段識別情報１６１と共に、ネットワーク３００を介してコンテンツ提供部２００に送信して、コンテンツ再生処理を終了する。
【００６１】
符号Ｂ４で示すユーザ端末１１０の認証において、正規利用と判定された場合には、コンテンツ提供部２００の入出力部２１０は、符号Ｂ１０で示すように、ユーザ端末１１０から送られてきた端末識別情報１１１，再生手段識別情報１６１，再生動作を示す動作情報１６２及びコンテンツ識別情報１６４を処理部２３０に送出する。
そして、コンテンツ提供部２００の処理部２３０は、符号Ｂ１１で示すように、これらの端末識別情報１１１，再生手段識別情報１６１，再生動作を示す動作情報１６２及びコンテンツ識別情報１６４を、記憶部２２２に前もって登録してある当該ユーザ１００のユーザ登録情報２２１と関連付けて登録する。
【００６２】
これに対して、符号Ｂ４で示すユーザ端末１１０の認証において、不正利用と判定された場合には、コンテンツ提供部２００の入出力部２１０は、符号Ｂ１２で示すように、ユーザ端末１１０から送られてきたアラート情報１６５，コンテンツ識別情報１６４と端末識別情報１１１及び再生手段識別情報１６１を処理部２３０に送出する。
そして、コンテンツ提供部２００の処理部２３０は、符号Ｂ１３で示すように、アラート情報１６５，コンテンツ識別情報１６４，端末識別情報１１１及び再生手段識別情報１６１を、記憶部２２２に前もって登録してある当該ユーザ１００のユーザ登録情報２２１と関連付けて登録する。
さらに、コンテンツ提供部２００の処理部２３０は、符号Ｂ１４で示すように、アラート情報１６５と共に送信されるコンテンツ識別情報１６４に基づいて、コンテンツ識別情報１６４に対応するコンテンツ２０１の権利者情報２０２を記憶部２２０から読み出して、符号Ｂ１５で示すように、当該コンテンツ２０１の権利者の連絡先として登録されているメールアドレス宛の不正利用発生の旨の通知メール２３３を作成し、符号Ｂ１６で示すように、このメール２３３をネットワーク３００を介して送信する。
以上で、コンテンツ送受信システム１０によるコンテンツ再生作業が完了する。
【００６３】
ところで、コンテンツ送受信システム１０におけるコンテンツ再生の停止，中止または削除の場合には、動作情報１６２がコンテンツ再生停止，再生中止またはコンテンツ削除に設定される。
従って、図５に示すコンテンツ再生の場合と同様に、ユーザ端末１１０がユーザ識別情報１７０及び端末識別情報１１１，再生手段識別情報１６１及びコンテンツ識別情報１６４をネットワーク３００を介してコンテンツ提供部２００に送信すると、コンテンツ提供部２００の処理部２３０は、これらのユーザ識別情報１７０及び端末識別情報１１１，再生手段識別情報１６１及びコンテンツ識別情報１６４を、記憶部２２０に登録されている当該ユーザ１００に関するユーザ登録情報２２１と関連付けて登録する。
これにより、コンテンツ提供部２００の記憶部には、ユーザ１００によるコンテンツ２０１のダウンロード，再生，再生停止，再生中止及びコンテンツ削除に関して、ユーザ１００毎の利用履歴が蓄積されることになる。
コンテンツ再生の停止，中止または削除の場合には、以上で作業が完了する。
【００６４】
本発明はその趣旨を逸脱しない範囲において様々な形態で実施することができる。
例えば、上述した実施形態においては、不正利用発生によりアラート情報１６５を生成したとき、再生手段１６０は、単に再生を中止するようになっているが、これに限らず、再生手段１６０自体の使用を禁止する、即ち以降のコンテンツ再生やコンテンツ提供部２００へのアクセスを禁止するようにしてもよい。
【００６５】
上述した実施形態においては、ユーザ端末１１０のログインの際に、ユーザ端末１１０からコンテンツ提供部２００に対してユーザ識別情報１７０を送信することにより、コンテンツ提供部２００の処理部２３０が、ユーザ識別情報１７０のユーザＩＤ１７１及びパスワード１７２に基づいて当該ユーザ１００の認証を行なうようになっているが、これに限らず、ユーザ１００が限定されるようなユーザ端末１１０、例えばスマートフォン等の場合には、ユーザ識別情報１７０の送信は省略することも可能である。
【００６６】
上述した実施形態においては、アラート情報１６５を受け取ったとき、コンテンツ提供部２００の処理部２３０は、アラート情報１６５を記憶部２２０に登録されているユーザ登録情報２２１と関連付けて登録するようになっているが、これに限らず、さらにそれ以後の当該ユーザ端末１１０からのアクセスを禁止し、あるいは当該ユーザ１００のユーザ識別情報１７０を無効にし、またはユーザ登録を削除または保留するようにしてもよい。
【００６７】
上述した実施形態においては、再生手段１６０は、当該ユーザ端末１１０に関する情報として、端末識別情報１１１及び再生手段識別情報１６１をコンテンツ提供部２００に送信するようになっているが、これに限らず、例えばユーザ端末１１０の例えばＧＰＳによる位置情報を、これらの端末識別情報１１１及び再生手段識別情報１６１と共に、コンテンツ提供部２００に送信するようにしてもよい。
【００６８】
以上述べたように、本発明によれば、簡単な構成により、簡単な構成により、不正に入手したコンテンツを再生しようとしたとき、当該コンテンツの再生をできないようにすると共に、コンテンツ提供側が不正利用発生の旨及び流出先を知ることができるようにした、セキュリティの高い、極めて優れたコンテンツ送受信システムが提供される。
【符号の説明】
【００６９】
１０    コンテンツ送受信システム
１００  ユーザ
１１０  ユーザ端末
１１１  端末識別情報
１２０  制御部
１３０  記憶部
１４０  入力部
１５０  表示部
１６０  再生手段
１６１  再生手段識別情報
１６２  動作情報
１６３  コンテンツ要求情報
１６４  コンテンツ識別情報
１６５  アラート情報
１７０  ユーザ識別情報
１７１  ユーザＩＤ
１７２  パスワード
２００  コンテンツ提供部
２０１  コンテンツ
２０２  権利者情報
２１０  送受信部
２２０  記憶部
２２１  ユーザ登録情報
２３０  処理部
２３１  画面情報
２３２  不正利用発生の旨の通知メール
３００  ネットワーク
【図１】
2017211730.tif 000003
【図２】
2017211730.tif 000004
【図３】
2017211730.tif 000005
【図４】
2017211730.tif 000006
【図５】
2017211730.tif 000007